(57)【要約】【課題】建屋内上方に配置された吊下げ部材（ターンバックルＢ・アイボルトＣ）に、重量バランスが均衡していない下方開口コの字状の上方フランジ（Γ状フランジ）を備えた天井梁Ａを吊下げる新規な金具を提供する。【解決手段】天井梁Ａの上方部分を挟持する左右の挟持板１，２からからなり、両挟持板の上方対向板部１１，２１に吊下げ部材に対応する吊下連結部を設け、左挟持板１の下方対向板部１２を天井梁の縦板部ｂに添う挟圧添板部に形成し、右挟持板２の下方対向板部２２を、上方フランジを持ち上げる形状の鉤部２２１に形成すると共に、鉤部先端を下方へ折曲して天井梁の縦板部に当接する当接板部２２２に形成し、挟圧添板部と当接板部とで縦板部を挟持すると共に、貫通ビス４を装着して前記挟持部分を固定してなる。【選択図】図３
2020190120.tif 000002
【特許請求の範囲】
【請求項１】
建屋内上方に配置された吊下げ部材に、下方開口コの字状の上方フランジを備えた天井梁を吊下げる吊下げ金具であって、上方フランジを含む天井梁上方部分を挟持する左右の挟持板からなり、両挟持板の上方対向板部に吊下げ部材に対応する吊下連結部を設け、一方の挟持板の下方対向板部を天井梁の縦板部に添う挟圧添板部に形成し、他方挟持板の下方対向板部を、上方フランジを持ち上げる形状の鉤部に形成すると共に、鉤部先端を下方へ折曲して天井梁の縦板部に当接する当接板部に形成し、挟圧添板部と当接板部とで縦板部を挟持すると共に、貫通ビスを装着して前記挟持部分を固定してなる天井梁の吊り金具。
【請求項２】
当接板部を梁方向に延出させると共に、延出部分を鉤部より上方へ突出させて落下防止爪部に形成してなる請求項１記載の天井梁の吊り金具。
【請求項３】
貫通ビスにヘックスビスを採用し、挟圧添板部又は当接板部の何れかに穿孔螺合装着してなる請求項１又は２記載の天井梁の吊り金具。
【請求項４】
吊下げ部材がアイボルトを備えたターンバックルで、吊下連結部を、上方対向板部に設けた連結孔と前記連結孔及びターンバックルのアイボルトの連結孔を貫通する緊締ボルト及びナットで構成してなる請求項１乃至３記載の何れかの天井梁の吊り金具。
【請求項５】
一方の上方対向板部に、他方の上方対向板部の上縁を覆う覆板部を突設してなる請求項４記載の天井梁の吊り金具。
【請求項６】
一方の上方対向板部に、他方の上方対向板部の前後縁を覆う鍔板部を突設してなる請求項４又は５記載の天井梁の吊り金具。
【発明の詳細な説明】
【技術分野】
【０００１】
本発明は、天井パネルを使用する建屋における天井梁の吊り金具に関するものである。
【背景技術】
【０００２】
組立式パネルを使用する建屋建築において、パネルで形成される天井面は、建屋構築梁のように建屋内上方の部材に、ターンバックルのような適宜な吊下げ部材を連結して吊下げ、更に前記吊下げ部材に天井梁の吊り金具を連結し、前記吊り金具で吊下げられた天井梁の下方フランジに天井板（パネル）を装着して構築しているものである。即ちターンバックルのような吊下げ部材に連結した吊り金具で天井梁の上方フランジ部分を固持し、天井梁の下方フランジで天井板を保持するようにしているものである。
【０００３】
天井梁の上方フランジ部分と連結固持する吊り金具は、特許文献１，２に示すとおり左右挟持板で天井梁を挟持するもので、挟持板上方部分をターンバックルのアイボルトの連結孔を貫通するボルト装着部に形成し、挟持板下方部分を天井梁の上方フランジ部分の下方に回り込む鉤部に形成してなるものである。
【０００４】
特に天井梁の上方フランジがＴ状であれば左右対称の鉤部を備えた挟持板を採用し、下方開口コの字状（Γ状）であれば、一方の挟持板に鉤部を設けてなるものである（特許文献１の図５）。
【先行技術文献】
【特許文献】
【０００５】
【特許文献１】特開平８−３３３９１１１号
【特許文献２】特開２０００−２０４７１１号
【発明の概要】
【発明が解決しようとする課題】
【０００６】
天井梁の上部がＴ状であれば左右バランスよく吊り金具で吊り下げることができるが、Γ状であれば、重量バランスが崩れるので、金具の鉤部が装着されている天井梁のフランジ部分には、捲れ上がる力が働き、天井梁が変形して天井板が歪む虞がある。
【０００７】
そこで本発明は、Γ状の上方フランジを備えた天井梁に対応する新規な吊り金具を提案した。
【課題を解決するための手段】
【０００８】
本発明の請求項１記載に係る天井梁の吊下げ金具は、建屋内上方に配置された吊下げ部材に、下方開口コの字状の上方フランジを備えた天井梁を吊下げる吊下げ金具であって、上方フランジを含む天井梁上方部分を挟持する左右の挟持板からなり、両挟持板の上方対向板部に吊下げ部材に対応する吊下連結部を設け、一方の挟持板の下方対向板部を天井梁の縦板部に添う挟圧添板部に形成し、他方挟持板の下方対向板部を、上方フランジを持ち上げる形状の鉤部に形成すると共に、鉤部先端を下方へ折曲して天井梁の縦板部に当接する当接板部に形成し、挟圧添板部と当接板部とで縦板部を挟持すると共に、貫通ビスを装着して前記挟持部分を固定してなることを特徴とするものである。
【０００９】
而して天井梁は上方フランジを鉤部で支持することで吊下げ保持され、同時に相対向する鉤部に連続する当接板部と添板挟持部とで天井梁の縦板部を挟持することになる。従って重量バランスが不均一な天井梁を安定して吊下げ保持できることになる。
【００１０】
また本発明の請求項２記載に係る天井梁の吊下げ金具は、特に当接板部を梁方向に延出させると共に、延出部分を鉤部より上方へ突出させて落下防止爪部に形成してなるもので、仮に左右挟持板による天井梁の挟持が外れたとしても、落下防止爪部に上方フランジが引っ掛かり、天井梁の吊下げが解除されることが無い。
【００１１】
また本発明の請求項３記載に係る天井梁の吊下げ金具は、貫通ビスにヘックスビスを採用し、挟圧添板部又は当接板部の何れかに穿孔螺合装着してなるもので、下方対向板部間でフランジ縦板部を挟圧して装着することになり、螺合された他方の下方対向板部の浮き上がりが防止される。
【００１２】
更に本発明の請求項５，６記載に係る天井梁の吊下げ金具は、吊下げ部材がアイボルトを備えたターンバックルで、吊下連結部を、上方対向板部に設けた連結孔と前記連結孔及びターンバックルのアイボルトの連結孔を貫通する緊締ボルト及びナットで構成してなる金具（請求項４記載の構成）において、何れかの上方対向板部に、他方の上方対向板部の上縁を覆う覆板部を突設し、また何れかの上方対向板部に、他方の上方対向板部の前後縁を覆う鍔板部を突設してなるものである。
【００１３】
而して覆板部に他方の挟持板の上端面を当接することで、左右挟持板の上下方向の位置合わせを容易に行うことができ、また鍔板部に他方の挟持板の前後端面を当接することで、左右挟持板の前後方向の位置合わせを容易に行うことができる。
【発明の効果】
【００１４】
本発明の構成は上記のとおりで、吊り金具を構成する左右の挟持板の下方部分に、天井梁の縦板部を挟む挟圧添板部と当接板部を設けて、天井梁の縦板部と金具とを一体とするもので、金具による天井梁の吊下げ時に、上方フランジが捲れ上がる様なこと無く堅牢に吊下げられる。
【図面の簡単な説明】
【００１５】
【図１】本発明の実施形態の金具の全体斜視図（上方斜視）。
【図２】同図（下方斜視）。
【図３】同装着状態の説明図で（イ）は正面図（ロ）は側面図。
【図４】同挟持板の斜視図。
【発明を実施するための形態】
【００１６】
次に本発明の実施形態について説明する。実施形態に示した吊り金具の使用対象となる天井梁Ａは、上方が下方開口コの字状の上方フランジａを形成し中間部分が縦板部ｂとし、下方部分が天井板を保持する天井板取付部ｃを備えてなり、建屋内上方に配置された吊下げ部材の下方部分がターンバックルＢで構成され、下端のアイボルトＣと前記天井梁Ａとを本発明の吊下げ金具で連結するものである。
【００１７】
吊下げ金具は、左右の挟持板１，２からなり、上方対向板部１１，２１に吊下連結部を設けてターンバックルＢ（吊下げ部材）と連結し、下方対向板部１２，２２に天井梁Ａの上方部分を保持させるようにしたものである。
【００１８】
前記吊下連結部は、アイボルトＣの連結孔と対応する連結孔１１１，２１１と、前記各連結孔を貫通する緊締ボルト３とナットで構成するものである。
【００１９】
また左挟持板１の上方対向板部１１の上縁は対向方向へ折曲して、対向する右挟持板２の上縁２１２を覆う配置となる覆板部１１２に形成したものである。更に右挟持板２の上方対向板部２１の前後縁は対向方向へ折曲し、対向する左挟持板１の前後縁１１３を覆う配置となる鍔板部２１３に形成したものである。
【００２０】
左右挟持板１，２における下方対向板部１２，２２は、天井梁Ａの上方部分を保持させるために、上方対向板部１１，２１よりも左右外方に張り出すように設けたもので、左下方対向板部１２は，天井梁Ａの縦板部ｂに添う挟圧添板部に形成したものである。
【００２１】
右挟持板２の下方対向板部２２は、天井梁Ａの上方フランジａの下方に回り込むように折曲して上方フランジａを下方から支持するようにした鉤部２２１と、鉤部２２１の先端（対向側方向）を下方に折曲して天井梁Ａの縦板部ｂに当接する当接板部２２２と、当接板部２２２を前後方向に延出させると共に、延出部分を鉤部２２１より上方へ突出して形成した落下防止爪部２２３を備えたものである。
【００２２】
また左右挟持板１，２の挟圧添板部（下方対向板部）１２と当接板部２２２の相対応する適宜位置に、ビス孔１２１，２２４を設けたもので、特にビス孔１２１は使用する貫通ビス（ヘックスビス）４の軸径（例えば６．２Φ）より僅かに大きく形成し（例えば６．５Φの内径の孔）、ビス孔２２４は貫通ビス４のキリ先径と同等の内径（例えば５．０Φ）に形成する。
【００２３】
而して前記の金具は、左右の挟持板１，２の上方対向板部１１，２１でターンバックルＢのアイボルトＣを挟むように位置させ、緊締ボルト３を連結孔１１１，２１１に貫通装着する。その際に覆板部１１２で上縁２１２に当接し、鍔板部２１３を前後縁１１３に当接すると連結孔１１１，２１１が同一軸上に位置し、緊締ボルト３の装着が容易である。
【００２４】
また本金具による天井梁Ａの吊下げ保持は、上記の緊締ボルト３の装着による本金具の吊下げ部材（アイボルトＣ）への吊下げ（緊締ボルト３へのナットの螺合）と同時に、下方対向板部１２，２２を天井梁Ａに跨がせ、上方フランジａを挟むようにし、鉤部２２１を上方フランジａの下方に位置させ、緊締ボルト３へのナットでの緊締で、鉤部２２１で上方フランジａを支持し、当時に縦板部ｂを挟圧添板部１２と当接板部２２２で挟持することになる。
【００２５】
更に前記のように貫通ビス４にヘックスビスを採用し、且つ前記した所定の内径のビス孔１２１，２２４を採用すると、ビス孔１２１から貫通ビス４を挿入して縦板部ｂを貫通してビス孔２２４にねじ込むことで、縦板部ｂを強く挟持して挟圧添板部１２と当接板部２２２とを一体化すると共に、当接板部２２２の浮き上がりが防止される。
【００２６】
天井板の構築は、前記の天井梁Ａの吊下げ設置の後に、当該天井梁Ａの下方の天井板取付部ｃを使用して行うもので、天井梁Ａは、鉤部２２１で吊り下げ支持すると共に、挟圧添板部１２と当接板部２２２で挟持されるので安定した状態で吊り下げられることになる。
【００２７】
更に天井梁Ａの吊下げ装着作業時（貫通ビス装着前）に天井梁Ａが傾いたとしても、落下防止爪部２２３が上方フランジａの下方開口コ字状の内方に突出しているので、天井梁Ａの吊下げ状態が解かれて落下することが無い。
【符号の説明】
【００２８】
１    左挟持板
１１    上方対向板部
１１１    連結孔
１１２    覆板部
１１３    前後縁
１２    下方対向板部（挟圧添板部）
１２１    ビス孔
２    右挟持板
２１    上方対向板部
２１１    連結孔
２１２    上縁
２１３    鍔板部
２２    下方対向板部
２２１    鉤部
２２２    当接板部
２２３    落下防止爪部
２２４    ビス孔
３    緊締ボルト
４    貫通ビス
Ａ    天井梁
ａ    上方フランジ
ｂ    縦板部
ｃ    天井板取付部
Ｂ    ターンバックル
Ｃ    アイボルト
【図１】
2020190120.tif 000003
【図２】
2020190120.tif 000004
【図３】
2020190120.tif 000005
【図４】
2020190120.tif 000006
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
建屋内上方に配置された吊下げ部材に、縦板部の下方部分が天井板を装着する天井板取付部で、上方部分が上端を一側に折曲し更に下方へ折曲している下方開口コの字状の上方フランジとした天井梁を吊下げる吊り金具であって、
天井梁吊下げ時に天井梁の上方に位置する上方対向部と、天井梁に当接する下方対向部を備えて相対向する挟持板で構成され、
両挟持板の上方対向板部に前記吊下げ部材に連結する吊下連結部を設け、
一方の挟持板の下方対向板部が、天井梁の縦板部に添う挟圧添板部からなり、
他方挟持板の下方対向板部が、上方フランジを持ち上げる形状の鉤部と、鉤部先端を下方へ折曲して天井梁の縦板部に当接する当接板部と、前記当接板部の一部を鉤部より上方へ延出して落下防止爪部からなり、
挟圧添板部と当接板部とで天井梁の縦板部を挟持した際に、挟圧添板部と当接板部を天井梁の縦板部に固定する貫通ビスを設けてなる天井梁の吊り金具。
【請求項２】
貫通ビスにヘックスビスを採用し、挟圧添板部又は当接板部の何れかに穿孔螺合装着してなる請求項１記載の天井梁の吊り金具。
【請求項３】
吊下連結部を、アイボルトを備えたターンバックルからなる吊下げ部材に対応するように、上方対向板部に前記アイボルトの頭部を貫通可能な緊締ボルト用の連結孔を形成すると共に、
一方の上方対向板部に、他方の上方対向板部の上縁を覆う覆板部を突設してなる請求項1又は２記載の天井梁の吊り金具。
【請求項４】
一方の上方対向板部に、他方の上方対向板部の前後縁を覆う鍔板部を突設してなる請求項３記載の天井梁の吊り金具。
【手続補正２】
【補正対象書類名】明細書
【補正対象項目名】０００８
【補正方法】変更
【補正の内容】
【０００８】
本発明の請求項１記載に係る天井梁の吊下げ金具は、
建屋内上方に配置された吊下げ部材に、縦板部の下方部分が天井板を装着する天井板取付部で、上方部分が上端を一側に折曲し更に下方へ折曲している下方開口コの字状の上方フランジとした天井梁を吊下げる吊り金具であって、天井梁吊下げ時に天井梁の上方に位置する上方対向部と、天井梁に当接する下方対向部を備えて相対向する挟持板で構成され、
両挟持板の上方対向板部に前記吊下げ部材に連結する吊下連結部を設け、一方の挟持板の下方対向板部が、天井梁の縦板部に添う挟圧添板部からなり、他方挟持板の下方対向板部が、上方フランジを持ち上げる形状の鉤部と、鉤部先端を下方へ折曲して天井梁の縦板部に当接する当接板部と、前記当接板部の一部を鉤部より上方へ延出して落下防止爪部からなり、挟圧添板部と当接板部とで天井梁の縦板部を挟持した際に、挟圧添板部と当接板部を天井梁の縦板部に固定する貫通ビスを設けてなることを特徴とするものである。
【手続補正３】
【補正対象書類名】明細書
【補正対象項目名】００１０
【補正方法】変更
【補正の内容】
【００１０】
更に当接板部の一部を鉤部より上方へ延出して落下防止爪部を備えることにより、仮に左右挟持板による天井梁の挟持が外れたとしても、落下防止爪部に上方フランジが引っ掛かり、天井梁の吊下げが解除されることが無い。
【手続補正４】
【補正対象書類名】明細書
【補正対象項目名】００１１
【補正方法】変更
【補正の内容】
【００１１】
また本発明の請求項２記載に係る天井梁の吊下げ金具は、貫通ビスにヘックスビスを採用し、挟圧添板部又は当接板部の何れかに穿孔螺合装着してなるもので、下方対向板部間でフランジ縦板部を挟圧して装着することになり、螺合された他方の下方対向板部の浮き上がりが防止される。
【手続補正５】
【補正対象書類名】明細書
【補正対象項目名】００１２
【補正方法】変更
【補正の内容】
【００１２】
更に本発明の請求項３，４記載に係る天井梁の吊下げ金具は、吊下連結部を、アイボルトを備えたターンバックルからなる吊下げ部材に対応するように、上方対向板部に前記アイボルトの頭部を貫通可能な緊締ボルト用の連結孔を形成すると共に、一方の上方対向板部に、他方の上方対向板部の上縁を覆う覆板部を突設してなり、更に一方の上方対向板部に、他方の上方対向板部の前後縁を覆う鍔板部を突設してなるものである。